(57)【要約】【課題】従来にない新たな機能を備え、より娯楽性を高めた画像プリント装置を提供する。【解決手段】画像プリント装置に通常印刷部に加えて紫外光感応印刷部を設け、稀に紫外光感応印刷にて印刷を行った写真を供給する。【選択図】      図３
2004302301.tif 000002
【特許請求の範囲】
【請求項１】
被写体を撮影する撮影手段と、
撮影した被写体を画像として表示する表示手段と、
画像を印刷する第１の印刷手段と、
画像を第１の印刷手段とは異なる態様にて印刷する第２の印刷手段と、
印刷処理を制御する制御手段と
を具備し、前記制御手段は前記第２の印刷手段を用いた印刷処理をある確率で実行する
ことを特徴とする画像プリント装置。
【請求項２】
被写体を撮影する撮影手段と、
撮影した被写体を画像として表示する表示手段と、
画像を可視光下において視認可能に印刷する第１の印刷手段と、
画像を紫外光下において視認可能に印刷する第２の印刷手段と、
印刷処理を制御する制御手段と
を具備することを特徴とする画像プリント装置。
【請求項３】
前記制御手段は、前記第２の印刷手段を用いた印刷処理をある確率で実行することを特徴とする請求項２記載の画像プリント装置。
【請求項４】
紫外光を照射する紫外光照射手段を具備することを特徴とする請求項２または３記載の画像プリント装置。
【請求項５】
前記画像が印刷された印刷物を排出する排出口を具備し、
前記紫外光照射手段は、前記第２の印刷手段によって印刷された印刷物が前記排出口から排出されるタイミングに合わせて当該排出口付近に紫外光を照射することを特徴とする請求項４記載の画像プリント装置。
【請求項６】
前記制御手段は、前記第１または第２の印刷手段のいずれか一方のみを択一的に実行することを特徴とする請求項１ないし５記載の画像プリント装置。
【請求項７】
前記制御手段は、前記第１の印刷手段により印刷される印刷物の同一面上に、前記第２の印刷手段を用いた印刷処理を実行することを特徴とする請求項１ないし５記載の画像プリント装置。
【請求項８】
前記第１の印刷手段は、第１のサーマルヘッドと、第１のプラテンローラと、可視光下で視認される染料を含有する第１のインクリボンとを有し、
前記第２の印刷手段は、第２のサーマルヘッドと、第２のプラテンローラと、紫外光下で視認される染料を含有する第２のインクリボンとを有することを特徴とする請求項１ないし７記載の画像プリント装置。
【請求項９】
前記第１および第２の印刷手段は、熱昇華型であることを特徴とする請求項１ないし８記載の画像プリント装置。
【請求項１０】
被写体を撮影するステップと、
撮影した被写体を画像として表示するステップと、
前記画像を通常とは異なる態様にて印刷するか否かを判断するステップと、
前記判断の結果が肯定的である場合には、前記画像を通常とは異なる態様にて印刷するステップと
を具備することを特徴とする画像プリント方法。
【発明の詳細な説明】
【０００１】
【発明の属する技術分野】
本発明は、遊技場等に設置され、使用者の写真を撮影し供給する画像プリント装置に関する。
【０００２】
【従来の技術】
近年、ゲームセンター等の遊技場に設置され、被写体の画像を撮影し、撮影された画像を写真やシールとして使用者に提供する画像プリント装置、いわゆるプリクラ（登録商標）が知られている。このような画像プリント装置においては、娯楽性を高め使用者の継続的な使用を促すために、近年さまざまな工夫がなされている（例えば、特許文献１または２参照）。
【０００３】
【特許文献１】
特開２００２−２４５５４５号公報
【特許文献２】
特開２００２−３１１４９７号公報
【０００４】
【発明が解決しようとする課題】
しかしながら、このような画像プリント装置においては、使用者のニーズは多様化し、常に新たな機能が求められている。
本発明はこのような背景の下になされたもので、従来にない新たな機能を備え、より娯楽性を高めた画像プリント装置の提供を目的としている。
【０００５】
【課題を解決するための手段】
上記課題を解決するために、本発明に係る画像プリント装置は、被写体を撮影する撮影手段と、撮影した被写体を画像として表示する表示手段と、画像を印刷する第１の印刷手段と、画像を第１の印刷手段とは異なる態様にて印刷する第２の印刷手段と、印刷処理を制御する制御手段とを具備し、前記制御手段は前記第２の印刷手段を用いた印刷処理をある確率で実行することを特徴としている。
また、上記と異なる態様として、本発明に係る画像プリント装置は、被写体を撮影する撮影手段と、撮影した被写体を画像として表示する表示手段と、画像を可視光下において視認可能に印刷する第１の印刷手段と、画像を紫外光下において視認可能に印刷する第２の印刷手段と、印刷処理を制御する制御手段とを具備することを特徴としている。
【０００６】
【発明の実施の形態】
以下、図面を参照して、本発明の実施形態について詳細に説明する。なお、以下に示される複数の図中において、同一の機能を有する部分には同じ符号を付してある。
【０００７】
＜実施形態の構成＞
図１は本発明に係る画像プリント装置１の外観を示した図である。同図に示されるように、本画像プリント装置１は、画像プリント装置本体１０と、遮光をするためのブース１１と、可視光による第１の照明１２とを備える。
【０００８】
図２は画像プリント装置本体１０の各部を模式的に示した図であり、以下に各部を概説する。
撮影部１０６はＣＣＤ（Ｃｈａｒｇｅ  Ｃｏｕｐｌｅｄ  Ｄｅｖｉｃｅ）等を撮像素子として用いたデジタルビデオカメラであり、被写体を撮影して得られる画像データを制御部１０１へと出力する。
発光部１０７はフラッシュライトであり、撮影部１０６により被写体がスチル撮影されるときに発光する。
表示部１０５は制御部１０１から供給される画像データに基づき被写体の映像を動画でリアルタイムに表示する他、この画像プリント装置１を操作するための各種情報を表示する。
操作部１０４は複数のボタンやレバー等を備えており、使用者はこの操作部１０４を用いて撮影のための各種操作を行う。なお、操作部１０４は、例えばタッチパネルとして表示部１０５と一体化して構成されていても良い。この場合には操作部１０４の一例として、手書き入力を行うペン型入力装置等が利用可能である。
硬貨投入部１０８は使用者による硬貨の投入を検知し、予め設定された適当な額の入金がなされた場合に制御部１０１へ撮影開始信号を送信する。
印刷部１０２は、撮影部１０６により撮影された後に制御部１０１にて処理された画像を受像紙に印刷する。この画像が印刷された受像紙は排紙部１０３より排出される。排紙部１０３には紫外光を照射する第２の照明１０９および印刷物の排出を検知するセンサ１１０が設けられている。
制御部１０１は上記の各部の動作を制御する。制御部１０１内部にはＣＰＵ，ＲＯＭ，ＲＡＭ，ＨＤＤ等が備えられ、ＣＰＵがＲＡＭをワーキングエリアとして利用し、ＲＯＭに記憶された各種プログラムを実行することで装置各部を制御する。また、ＨＤＤには前景・背景画像データ等の各種データが記憶されている。
【０００９】
続いて、印刷部１０２の内部構造について説明する。
図３は印刷部１０２の構造を示した図である。印刷部１０２は複数のローラ２４，第１のインクリボン２１１，第２のインクリボン２１２，第１のサーマルヘッド２２１，第２のサーマルヘッド２２２，第１のプラテンローラ２３１，第２のプラテンローラ２３２，カッター２５を備えている。第１および第２のサーマルヘッドにはそれぞれ、第１および第２のプラテンローラに対向する先端部分に複数の発熱体（図示せず）が備わっている。また、同図に示されるように印刷部１０２には受像紙２６が巻き取りローラ２７に巻き取られて格納されている。
【００１０】
第１のインクリボン２１１，第１のサーマルヘッド２２１，第１のプラテンローラ２３１により構成される部分は可視光下にて視認可能な通常のカラー印刷を行い、また第２のインクリボン２１２，第２のサーマルヘッド２２２，第２のプラテンローラ２３２により構成される部分は紫外光下にて視認可能なカラー印刷を行う。よって以下では、第１のインクリボン２１１，第１のサーマルヘッド２２１，第１のプラテンローラ２３１により構成される部分を通常印刷部呼び、第２のインクリボン２１２，第２のサーマルヘッド２２２，第２のプラテンローラ２３２により構成される部分を紫外光感応印刷部と呼ぶ。
なお、図３では巻き取りローラ２７からカッター２５の方向に向かって通常印刷部、紫外光感応印刷部という順で配置されているが、この順序は逆になっていても良い。
【００１１】
図４に第１および第２のインクリボンの断面図を示す。断面の構造は第１および第２のインクリボン共に共通である。同図に示されるように、第１のインクリボン２１１，第２のインクリボン２１２は基材４１と染色層４２を備え、染色層４２には各色の染料が含まれている。第１のインクリボン２１１と第２のインクリボンは、後述するように染料の種類が異なる。
また、図５に受像紙２６の構造を断面図にて示す。受像紙２６は基材３１と受像層３２を備え、受像層３２がインクリボンの染色層４２と接触し、染料が熱転写されることで受像層３２の面に印刷がなされる。
【００１２】
図６は第１のインクリボン２１１の染色層４２側を示した平面図である。同図に示されるように、第１のインクリボン２１１はＹ染色領域４２Ｙ，Ｍ染色領域４２Ｍ，Ｃ染色領域４２Ｃ，ＯＰ領域４２ＯＰが繰り返し形成されており、これら各層の境界には制御部１０１が染料を識別するためのセンサマーク４２ＳＭが付されている。Ｙ染色領域４２Ｙ，Ｍ染色領域４２Ｍ，Ｃ染色領域４２Ｃはそれぞれイエロー（Ｙ）、マゼンタ（Ｍ）、シアン（Ｃ）の染料を含有している。ＯＰ領域４２ＯＰは染料の褪色を防ぎ、耐久性を向上させるために受像紙２６に塗布されるオーバーコート材を含有しており、通常無色である。上記イエロー、マゼンタ、シアンの染料はそれぞれ通常用いられる昇華型染料であり、これらは可視光下にて視認される。
【００１３】
一方、図７に示した第２のインクリボン２１２は、構造は上述の第１のインクリボン２１１と同様であるが、染色領域４２に含有される染料の成分が異なる。第２のインクリボン２１２のＲ染色領域４２ＲＵＶ，Ｇ染色領域４２ＧＵＶ，Ｂ染色領域４２ＢＵＶにそれぞれ含まれるレッド（Ｒ）、グリーン（Ｇ）、ブルー（Ｂ）の染料は、それぞれ紫外光下で視認される紫外光感応型染料となっている。前記染料は紫外光感応型染料として好適な各種の染料を用いれば良く、一例としては、有機ランタノイド錯体を含有する印刷用インク等がある。
【００１４】
上記の構成のもと、印刷部１０２では以下のプロセスによって画像が印刷される。
制御部１０１からの印刷実行信号と画像データを受信すると、印刷部１０２では受信した画像データの印刷処理が開始される。このとき、受像紙２６は複数のローラ２４によって送り出され、第１のプラテンローラ２３１部分で第１のインクリボン２１１と接し、受像紙２６と第１のインクリボン２１１とは第１のプラテンローラ２３１と第１のサーマルヘッド２２１により挟持される。
【００１５】
この部分において、第１のインクリボン２１１は裏側、すなわち基材３１側で第１のサーマルヘッド２２１先端にある複数の発熱体と接し、ここで染色領域４２の染料またはオーバーコート材が受像紙２６に熱転写される。ひとつの発熱体はひとつのドットに対応し、前記画像データに基づいて発熱体へのエネルギー供給がなされ、階調表現は発熱体へのエネルギー量によって調節される。受像紙２６上の受像層３２にはイエロー、マゼンタ、シアンの順に熱転写が行われ、最後にオーバーコート材が定着される。
【００１６】
以上の処理が終了すると、受像紙２６は複数のローラ２４により紙送りされ、受像紙２６の新たな面に同様の処理が繰り返される。これにより、可視光下にて視認される印刷処理が通常印刷部にて行われる。
【００１７】
また、同様の処理は紫外光感応印刷部においても行われる。印刷実行信号には画像データを通常印刷部ないし紫外光感応印刷部のいずれかで出力することを指示するデータが含まれており、このデータに指示された印刷部で印刷処理が実行される。
【００１８】
以上の処理により受像紙２６上に画像データが印刷されると、カッター２５により印刷された部分に対して適当なサイズで受像紙２６が切断され、切断された受像紙２６は写真として排紙部１０３より排出される。これにより、所望の写真が使用者に供給される。
【００１９】
紫外光感応印刷によって印刷された写真は、可視光下においては一見したところ何も印刷されていない白紙の状態である。紫外光感応印刷によって印刷された写真は、ブラックライト等の紫外光が照射されることによって初めて使用者により視認されることが可能となる。
なお、第１のインクリボン２１１および第２のインクリボン２１２は、その構成が逆となっていても得られる結果は同じである。すなわち、第１のインクリボン２１１が紫外光感応型染料を含有し、第２のインクリボン２１２が通常の昇華型染料を含有していても良い。
【００２０】
＜実施形態の動作＞
続いて、本発明に係る画像プリント装置１の動作について、図面を参照しつつ説明する。
図８は本画像プリント装置の制御部１０１により実行される一連の動作を示したフローチャートである。また、図９，１０，１１は本動作中に表示部１０５で表示される画面イメージの一例である。以下ではこれらの図も適宜用いて説明を行う。
【００２１】
まず、使用者により硬貨（またはメダル等の代替貨幣）が硬貨投入部１０８に投入されると、硬貨投入部１０８はこの硬貨投入を検出し（ステップＳ０１）、必要な金額の硬貨が投入されると、撮影開始信号を制御部１０１に出力する。
【００２２】
制御部１０１は上記撮影開始信号を受信すると、撮影部１０６を制御して被写体を撮影させる（ステップＳ０２）。撮影された画像を示す画像信号は、制御部１０１を介して表示部１０５へ逐次出力され、使用者は表示部１０５に表示された画像を参照しながら、撮るべき写真の構図をリアルタイムで確認する（図９（ａ）参照）。
【００２３】
構図を決定したら、使用者は操作部１０４にあるシャッターボタンを押下する。制御部１０１はこの操作を受けて発光部１０７を発光させて撮影を行い（ステップＳ０３）、この時点で撮影された画像を静止画像として表示部１０５にプレビュー表示させる（ステップＳ０４）。
【００２４】
使用者はこの静止画像を確認し、撮り直しをするか否かの選択を行う（ステップＳ０５）。この選択は、例えば図９（ｂ）に示される「はい」または「いいえ」を選択することにより行われる。
【００２５】
使用者が撮り直しを選択した場合、すなわちステップＳ０５の結果がＹｅｓである場合には、制御部１０１が撮影回数を参照し、これが規定の回数を超えているか否かを判別する（ステップＳ０６）。この規定の撮影回数は設置者により任意に設定可能であるが、撮影が規定の撮影回数に達していなければステップＳ０２からの操作を繰り返し、そうでなければそれ以上の撮影は行われず、制御部１０１は例えば図１０（ａ）に示されるようなエラーメッセージ画面を表示部１０５に表示させ、ステップＳ０７へと処理を進める。この場合、最後に撮影された画像が画像データとして用いられる。
【００２６】
使用者が撮り直しを行わない場合、すなわちステップＳ０５の結果がＮｏである場合か、あるいは撮影が規定の回数を超えていた場合は、使用者の操作に基づいて制御部１０１が各種の画像操作を行う（ステップＳ０７）。画像操作の例としては、写真の出力サイズや枚数の指定（図１０（ｂ）参照）、前景・背景画像の選択（図１１（ａ）参照）、手書きのイラストやメッセージの入力（図１１（ｂ）参照）等が挙げられる。前景・背景画像のデータはあらかじめＨＤＤに記録されており、使用者がこれらを選択すると制御部１０１は撮影して得られた画像データと前景・背景画像データとの合成処理を行う。
【００２７】
この画像操作は任意に設定された規定時間の間、自由に行うことができる。画像操作が行われている間、制御部１０１では画像操作が開始されてからの時間を計測し、規定時間内であるかどうかの判別を行う（ステップＳ０８）。制御部１０１は画像操作の時間が規定時間内であれば再びステップＳ０７の画像操作を繰り返し、規定時間に達したら画像操作を終了し、抽選処理へと進む（ステップＳ０９）。
【００２８】
図１２は前記抽選処理サブルーチンのフローチャートを示した図であり、同図を参照して抽選処理を説明する。
まず始めに、制御部１０１が乱数ｒを発生させる（ステップＳ９１）。乱数ｒの発生方法は特に問わないが、例えばＨＤＤに乱数表としてデータを記憶させておく方法や、本処理を実行するプログラミング言語における疑似乱数発生関数（例えばＣ言語におけるｒａｎｄ関数）を用いる方法等が挙げられる。
【００２９】
続いて、制御部１０１が演算することにより、発生させた乱数ｒの規格化を行う（ステップＳ９２）。ここで規格化とは、乱数ｒを乱数ｒが取り得る最大の数ｒｍａｘで除算することにより、乱数ｒの定義域を０から１の範囲内とすることである。
【００３０】
次に、制御部１０１では規格化された乱数ｒに対して定数ｎとの比較処理を行う（ステップＳ９３）。ここで定数ｎとは、０から１までの任意の値であり、前記乱数ｒがこの定数ｎより大きい場合を本抽選処理における「当たり」として処理する。例えば、定数ｎが「０．８」であれば、本抽選処理において「当たり」とは乱数ｒが０．８を超える値である場合であり、その確率は２０％である。
定数ｎの値は本装置を設置する設置者によって随時変更可能であり、これにより「当たり」の発生率を操作することが可能である。
【００３１】
上記の比較処理が「当たり」であれば当たりフラグｆｌｇＢｉｎｇｏに「１」をセットし（ステップＳ９４）、「はずれ」であれば当たりフラグｆｌｇＢｉｎｇｏに「０」をセットして（ステップＳ９５）、戻り値としてこの当たりフラグｆｌｇＢｉｎｇｏを返して本抽選処理サブルーチンを終了する。
【００３２】
再び図８のフローチャートを参照し、引き続き説明を行う。
ステップＳ０９の抽選処理が終了したら、次にステップＳ０９によって返された当たりフラグｆｌｇＢｉｎｇｏの状態を判別する（ステップＳ１０）。当たりフラグｆｌｇＢｉｎｇｏの値が「０」であれば、これはすなわち「はずれ」であり、画像データを用いて通常印刷を施し（ステップＳ１１）、排紙部１０３より写真を排出して本動作を終了する。また、当たりフラグｆｌｇＢｉｎｇｏが「１」であれば、これはすなわち「当たり」であり、画像データを用いて紫外光感応印刷を施す（ステップＳ１２）。
【００３３】
印刷処理が「当たり」である紫外光感応印刷である場合は、制御部１０１の制御のもと演出処理を行って本動作を終了する（ステップＳ１３）。この演出処理の具体的な内容は以下の通りである。
既に説明したように、紫外光感応印刷によって印刷された写真は可視光下では白紙に見える。ブース１１内は可視光による第１の照明１２により照らされており、このため排紙部１０３から排出された時点においては、使用者には白紙が排出されてきたように見える。制御部１０１は排紙部１０３での写真の排出を排紙部１０３にあるセンサ１１０で感知し、排出のタイミングに合わせて第１の照明１２の電源をオフにする。これと同時に、紫外光を照射する第２の照明１０９の電源をオンにし、暗くなっているブース１１内で、排紙部１０３付近を紫外光で照らす。これにより、それまで白紙に見えていた写真には突然画像が浮かび上がり、使用者によって視認される。
【００３４】
以上のように本発明に係る本画像プリント装置が動作することにより、以下の効果が得られる。
まず、通常の画像プリント装置の機能に加えて抽選の機能を有し、得られる写真に対して稀に「当たり」となる印刷を施すことにより、使用者は本装置の使用に際して「当たるかも知れない」という期待感を募らせることとなり、より楽しみながら写真撮影を行うことができる。更に「当たり」は稀にしか印刷されないため、「当たり」を求める使用者の反復的な使用を促し、本装置を設置する設置者側にとっては集客効果が見込まれる。
【００３５】
また、本実施形態はその「当たり」の印刷態様、および印刷物の使用者への告知態様にも特徴がある。
本発明の備える紫外光感応印刷は、通常の可視光下の環境においては無色であり、まるで何も印刷されていないかのように見える。使用者はこの「当たり」の印刷がなされたとき、何も印刷されていない（ように見える）受像紙２６を驚きを以て目にすることとなる。
このとき更に、ブース１１内の可視光である第１の照明１２を消灯し、紫外光である第２の照明１０９のみを点灯することにより、暗いブース１１内に突如として写真が印刷された受像紙２６が明るく照らし出され、使用者に対して更なる驚きと感動を与えることができる。
【００３６】
また、本発明の紫外光感応印刷は昇華型のフルカラー印刷である。フルカラーの紫外光感応印刷であることで、従来の単色の紫外光感応印刷に比べ格段に表現力が向上し、また写真等の階調表現に適した昇華型の印刷方式であることも相俟って、その表現力は本実施形態にて印刷されるような人物写真等にも十分耐え得る高い品質となっている。
【００３７】
＜変形例＞
なお、本発明は、以下の態様にて実施することも可能である。
【００３８】
（変形例１）
上述の実施形態においては、受像紙２６の同一表面上に通常印刷と紫外光感応印刷を同時に施すことは行われないが、これを同時に行うことももちろん可能である。この場合、通常印刷と紫外光感応印刷には同じ画像データを用いて、可視光下でも紫外光下でも同一の画像を表示しても良いし、通常印刷と紫外光感応印刷にそれぞれ異なる画像データを用いて、紫外光下では可視光下で表示されていた画像とは異なる画像を表示しても良い。
また、「当たり」の印刷態様として、上述の実施形態に記載された紫外光感応印刷のみの印刷態様と、本変形例に記載された通常印刷と紫外光感応印刷とを用いた印刷態様とを併用することも可能である。
このような態様とすることで、より多様性のある「当たり」の印刷態様を提供することが可能となる。
【００３９】
（変形例２）
上述の実施形態においては、受像紙２６の基材３１には紙が用いられているが、これをシール紙や軟質のマグネット、透明フィルムとしたりすることももちろん可能である。
このような態様とすることで、使用者は印刷物を単に写真として楽しむだけでなく、シールとして壁面や自身の所有物等に貼付したり、マグネットとして磁性体である壁面や伝言板等に貼付したりメモ用紙を挟んだり、透明フィルムとして透明のガラス面に貼付したりと、種々多様の用途にて楽しむことが可能となる。
【００４０】
（変形例３）
上述の実施形態においては、第１のインクリボン２１１と第２のインクリボン２１２には、それぞれＯＰ領域４２ＯＰが備わっているが、オーバーコート材、すなわちＯＰ領域４２ＯＰが塗布されるのは、全ての染料の印刷が終了してからであるから、ＯＰ領域４２ＯＰは第２のインクリボン２１２のみに備わっていれば良い。この場合には、第１のインクリボン２１１を含む印刷部を用いる印刷であっても、オーバーコート材の塗布のために、第２のインクリボン２１２を含む印刷部が作動することとなる。
このような構成とすることで、第１のインクリボン２１１の構成を簡略化することが可能となり、インクリボンの製造コストを低減させることが可能となる。
【００４１】
（変形例４）
上述の実施形態においては、通常印刷部と紫外光感応印刷部はそれぞれ異なるインクリボンとサーマルヘッドとプラテンローラとを設けた、いわゆる２ヘッド方式で構成されているが、これらをそれぞれ単一のインクリボンとサーマルヘッドとプラテンローラとで構成した１ヘッド方式に変更することも可能である。このとき印刷部１０２’は図１３に示される構成となる。同図において、２１，２２，２３はそれぞれインクリボン、サーマルヘッド、プラテンローラである。その他の部分については図３と同様であり、それぞれ同一の符号を付している。またインクリボン２１は図１４に示される構成となる。同図において４２Ｙ，４２Ｍ，４２Ｃはそれぞれ通常印刷におけるイエロー、マゼンタ、シアンの染料を含む染色領域４２であり、４２ＲＵＶ，４２ＧＵＶ，４２ＢＵＶはそれぞれ紫外光感応印刷におけるレッド、グリーン、ブルーの染料を含む染色領域４２である。また４２ＯＰはＯＰ領域である。
このような構成とすることで、１ヘッド方式のプリンタにおいてもインクリボンを変更するだけで本発明を実施することが可能となる。加えて、印刷部を小型化することも可能となる。
【００４２】
（変形例５）
上述の実施形態においては、画像プリント装置本体１０には紫外光による第２の照明１０９が設けられていたが、この第２の照明１０９は必ずしも必要ではない。例えば、ブース１１内外に紫外光を照射する小型のペンライト等を設置しても良いし、またこれを販売しても良い。
このように小型のペンライト等を販売すれば、これを購入した使用者はこれを携帯することにより、いついかなる場所においても本画像プリント装置１より得られた紫外光感応印刷を施した写真を鑑賞し、楽しむことが可能となる。
【００４３】
（変形例６）
上述の実施形態においては、図８に示されるように抽選処理はステップＳ０９において行われているが、抽選処理自体はここで行われなくても良い。例えば、抽選処理はステップＳ０１で硬貨を検出した直後に行われても良いし、バックグラウンドである処理と同時に行われても良い。
【００４４】
【発明の効果】
以上説明したように、本発明によれば、従来にない新たな機能を備え、より娯楽性を高めた画像プリント装置の提供が可能となる。
【図面の簡単な説明】
【図１】本発明の一実施形態に係る画像プリント装置の外観を示した図である。
【図２】同実施形態における画像プリント装置本体の各部を模式的に示した図である。
【図３】同実施形態における画像プリント装置本体の印刷部の構造を示した図である。
【図４】同実施形態における受像紙の構造を示した断面図である。
【図５】同実施形態における第１および第２のインクリボンの断面図である。
【図６】同実施形態における第１のインクリボンの染色層側を示した平面図である。
【図７】同実施形態における第２のインクリボンの染色層側を示した平面図である。
【図８】同実施形態における本画像プリント装置により実行される一連の動作を示したフローチャートである。
【図９】同実施形態における動作中に表示部で表示される画面イメージの一例を示した図である。
【図１０】同実施形態における動作中に表示部で表示される画面イメージの一例を示した図である。
【図１１】同実施形態における動作中に表示部で表示される画面イメージの一例を示した図である。
【図１２】同実施形態における抽選処理サブルーチンのフローチャートである。
【図１３】同発明の変形例４における印刷部の構造を示した図である。
【図１４】同変形例におけるインクリボンの構造を示した図である。
【符号の説明】
１…画像プリント装置、１０…画像プリント装置本体、１１…ブース、１２…第１の照明、１０１…制御部、１０２…印刷部、１０３…排紙部、１０４…操作部、１０５…表示部、１０６…撮影部、１０７…発光部、１０８…硬貨投入部、１０９…第２の照明、１１０…センサ、２１１…第１のインクリボン、２１２…第２のインクリボン、２２１…第１のサーマルヘッド、２２２…第２のサーマルヘッド、２３１…第１のプラテンローラ、２３２…第２のプラテンローラ、２４…ローラ、２５…カッター、２６…受像紙、２７…巻き取りローラ。
【図１】
2004302301.tif 000003
【図２】
2004302301.tif 000004
【図３】
2004302301.tif 000005
【図４】
2004302301.tif 000006
【図５】
2004302301.tif 000007
【図６】
2004302301.tif 000008
【図７】
2004302301.tif 000009
【図８】
2004302301.tif 000010
【図９】
2004302301.tif 000011
【図１０】
2004302301.tif 000012
【図１１】
2004302301.tif 000013
【図１２】
2004302301.tif 000014
【図１３】
2004302301.tif 000015
【図１４】
2004302301.tif 000016